(57)【要約】【課題】運転、使用時における静電気の発生を有効に防止でき、附属の電子機器に悪影響を及ぼすことのない歩行運動機用走行ベルトを提供する。【解決手段】上層（１）、下層（３）及び少なくとも一つの中間層（２）を互いに一体的に接合して成り、上層（１）及び下層（３）はＰＶＣ材質から成る縦糸及び横糸を互いに交差させた織物組織で構成され、中間層（２）はＰＥＴ（ポリエステル）材質から成る縦糸及び横糸を互いに交差させた織物組織で構成された歩行運動機用走行ベルトにおいて；上記中間層（２）の縦糸（２０）及び／又は横糸（２１）に混ぜて、互いに適宜の距離を隔ててそれぞれ縦糸（２０）及び／又は横糸（２１）と平行に導電性の金属線（２２，２２ａ，２２ｂ，２２ｃ）を織り込み、これにより、走行ベルトの走行摩擦による静電気の発生を防止するよう構成したことを特徴とする。【選択図】図２
0003126194.tif 000002
【実用新案登録請求の範囲】
【請求項１】
上層（１）、下層（３）及び少なくとも一つの中間層（２）を互いに一体的に接合して成り、上層（１）及び下層（３）はＰＶＣ材質から成る縦糸及び横糸を互いに交差させた織物組織で構成され、中間層（２）はＰＥＴ（ポリエステル）材質から成る縦糸及び横糸を互いに交差させた織物組織で構成された歩行運動機用走行ベルトにおいて；
上記中間層（２）の縦糸（２０）に混ぜて、互いに適宜の距離を隔てて縦糸（２０）と平行に導電性の金属線（２２，２２ａ，２２ｂ，２２ｃ）を織り込み、これにより、走行ベルトの走行摩擦による静電気の発生を防止するよう構成したことを特徴とする歩行運動機用走行ベルト。
【請求項２】
上層（１）、下層（３）及び少なくとも一つの中間層（２）を互いに一体的に接合して成り、上層（１）及び下層（３）はＰＶＣ材質から成る縦糸及び横糸を互いに交差させた織物組織で構成され、中間層（２）はＰＥＴ（ポリエステル）材質から成る縦糸及び横糸を互いに交差させた織物組織で構成された歩行運動機用走行ベルトにおいて；
上記中間層（２）の横糸（２１）に混ぜて、互いに適宜の距離を隔てて横糸（２１）と平行に導電性の金属線を織り込み、これにより、走行ベルトの走行摩擦による静電気の発生を防止するよう構成したことを特徴とする歩行運動機用走行ベルト。
【請求項３】
上層（１）、下層（３）及び少なくとも一つの中間層（２）を互いに一体的に接合して成り、上層（１）及び下層（３）はＰＶＣ材質から成る縦糸及び横糸を互いに交差させた織物組織で構成され、中間層（２）はＰＥＴ（ポリエステル）材質から成る縦糸及び横糸を互いに交差させた織物組織で構成された歩行運動機用走行ベルトにおいて；
上記中間層（２）の縦糸（２０）及び横糸（２１）に混ぜて、互いに適宜の距離を隔ててそれぞれ縦糸（２０）及び横糸（２１）と平行に導電性の金属線を織り込み、これにより、走行ベルトの走行摩擦による静電気の発生を防止するよう構成したことを特徴とする歩行運動機用走行ベルト。
【請求項４】
上層（６）及び下層（５）を互いに一体的に接合して成る歩行運動機用走行ベルトにおいて；
上層（６）内に、金属線を含む内包層（７）を一体的に成形して成り、これにより、走行ベルトの走行摩擦による静電気の発生を防止するよう構成したことを特徴とする歩行運動機用走行ベルト。
【考案の詳細な説明】
【技術分野】
【０００１】
本考案は、歩行運動機用走行ベルトに関し、特に、上層、下層及び少なくとも一つの中間層を互いに一体的に接合して成り、上層及び下層はＰＶＣ材質から成る縦糸及び横糸を互いに交差させた織物組織で構成され、中間層はＰＥＴ（ポリエステル）材質から成る縦糸及び横糸を互いに交差させた織物組織で構成され、当該中間層の縦糸及び／又は横糸に混ぜて、互いに適宜の距離を隔ててそれぞれ縦糸及び／又は横糸と平行に導電性の金属線を織り込んだことを最大の特徴とし、これによって、走行ベルトが歩行板と歩行者との相互間で高速摩擦運動をするときに走行ベルトに生じる静電気を効果的に除去し得るようにした実用性の高い考案品に関するものである。
【背景技術】
【０００２】
歩行運動機の基本的な構成は、例えば下記特許文献１に記載されたもののように、機台上に使用者が立つことのできる歩行板が設けられ、当該歩行板の上面に自走式の走行ベルトが装着され、この走行ベルトが機台に設けた動力と伝動機構によって走行運転されるようになっている。そして、使用者はこの走行ベルト上を、ベルトの走行速度に遅れないように歩行運動するようになっている。
然しながら、このときの走行ベルトの走行移動に伴う摩擦により静電気が発生し易く、その影響で歩行運動機に備えられた電子機器の正確な作動が損なわれるという問題がある。
【０００３】
即ち、従来の歩行運動機用走行ベルトの構造は、上層部材の底面を下層部材に一体的に接合して成るものであり、その下層部材は強力なＰＥＴ（ポリエステル）材質から成る縦糸と横糸を交差させた平織形式の織物組織で構成されているため、この種の走行ベルトは静電気の発生を有効に排除することができないという問題点があった。
【０００４】
【特許文献１】特開２００１−１７０２０５号公報
【考案の開示】
【考案が解決しようとする課題】
【０００５】
本考案は、上記の如き従来の歩行運動機用走行ベルトの問題点を解決するためなされたものであり、その目的とするところは、運転、使用時における静電気の発生を有効に防止でき、歩行運動機に備えられた電子機器に悪影響を及ぼすことのない歩行運動機用走行ベルトを提供することにある。
【課題を解決するための手段】
【０００６】
本考案の上記の目的は、
上層、下層及び少なくとも一つの中間層を互いに一体的に接合して成り、上層及び下層はＰＶＣ材質から成る縦糸及び横糸を互いに交差させた織物組織で構成され、中間層はＰＥＴ（ポリエステル）材質から成る縦糸及び横糸を互いに交差させた織物組織で構成された歩行運動機用走行ベルトにおいて；
上記中間層の縦糸に混ぜて、互いに適宜の距離を隔てて縦糸と平行に導電性の金属線を織り込み、これにより、走行ベルトの走行摩擦による静電気の発生を防止するよう構成したことを特徴とする歩行運動機用走行ベルトによって達成できる。
【０００７】
或いはまた、上記中間層の横糸に混ぜて、互いに適宜の距離を隔てて横糸と平行に導電性の金属線を織り込み、これにより、走行ベルトの走行摩擦による静電気の発生を防止するよう構成したことを特徴とする歩行運動機用走行ベルトによって達成できる。
【０００８】
更にまた、上記中間層の縦糸及び横糸に混ぜて、互いに適宜の距離を隔ててそれぞれ縦糸及び横糸と平行に導電性の金属線を織り込み、これにより、走行ベルトの走行摩擦による静電気の発生を防止するよう構成したことを特徴とする歩行運動機用走行ベルトによっても達成できる。
【０００９】
また更に、本考案の上記の目的は、
上層及び下層を互いに一体的に接合して成る歩行運動機用走行ベルトにおいて；
上層内に、金属線を含む内包層を一体的に成形して成り、これにより、走行ベルトの走行摩擦による静電気の発生を防止するよう構成したことを特徴とする歩行運動機用走行ベルトによっても達成できる。
【考案の効果】
【００１０】
上記の如き構成を有する本考案に係る歩行運動機用走行ベルトによるときは、その内部に織り込まれた導電性の金属線が静電気を放電させるため、走行ベルトが帯電することがなく、そのため歩行運動機に備えられた電子機器の作動が静電気によって悪影響を受けるのを効果的に防止することができる。
【考案を実施するための最良の形態】
【００１１】
以下、添付図面を参照しつつ本考案の具体的構造及びその作用効果について詳細に説明する。
図１は、本考案に係る歩行運動機用走行ベルトの一実施例の分離構造図、
図２は、本考案に係る歩行運動機用走行ベルトの中間層の構造図、
図３は、図２に示した走行ベルトの中間層の断面説明図、
図４は、本考案に係る走行ベルトの断面説明図、
図５は、本考案に係る走行ベルトの中間層内に互いに平行に織り込まれる金属線の相互間の間隔の一例を示す断面説明図、
図６は、金属線の相互間の間隔のもう一つの例を示す断面説明図、
図７は、金属線の相互間の間隔の更にもう一つの例を示す断面説明図、
図８は、本考案に係る走行ベルトのもう一つの実施例の分離構造図である。
【００１２】
本考案に係る歩行運動機用の走行ベルトは、図１に示す如く、上層１と、下層３と、少なくとも一つの中間層２とを互いに一体的に接合して成るものである。
以下、図１ないし図７を参照して説明する。
本考案の走行ベルトの上層１及び下層３は、ＰＶＣ材質から成る縦糸及び横糸を互いに交差させた織物組織で構成されている。本考案の最大の特徴は、中間層２の構成にあり、中間層２は、ＰＥＴ（ポリエステル）材質から成る縦糸２０及び横糸２１を互いに交差させた織物組織で構成され、図２及び図３に示す如く、それらの縦糸２０に混ぜて、互いに適宜の距離を隔てて縦糸２０と平行に導電性の金属線２２，２２ａ，２２ｂ，２２ｃを織り込んだことを特徴としている。
この中間層２を上層１と下層３の間に挟んでそれらを互いに接合して完成品とした後の断面図が図４に示されている。
【００１３】
縦糸２０と横糸２１の織り方は、製造すべき走行ベルトの種類に応じて種々変更可能であり、例えば、複数本の縦糸２０ごとに横糸２１を交互に上下させたり、或いは、縦糸２０の１本ごとに横糸２１を交互に上下させたり、等々、多種多様な織り方が可能であるが、本考案の本質的な特徴は、縦糸２０若しくは横糸２１又はこれら双方に導電性の金属線２２，２２ａ，２２ｂ，２２ｃを混ぜて織り込んだことにある。
走行ベルトの中間層２の導電性の金属線２２，２２ａ，２２ｂ，２２ｃの間隔、即ち、金属線の間の縦糸２０の数は様々に変更可能である。
このように導電性の金属線を織り込んだ中間層２を、上層１と下層３の間に挟み、それらを互いに接合して成る本考案の走行ベルトによるときは、静電気の発生を効果的に防止することができる。
【００１４】
図８には、本考案のもう一つの実施例が示されている。
この走行ベルトは、上層６及び下層５を互いに一体的に接合して成るものであり、その上層６内に、金属線を含む内包層７を一体的に成形して成るものである。このような金属線を含む内包層７を設けることにより、走行ベルトの走行摩擦による静電気の発生を効果的に防止でき、歩行運動機に備えられた各種電子検知器等の作動が静電気によって悪影響を受けるのを防止することができる。
【００１５】
なお、本考案は上記実施例に限定されるものでなく、その目的の範囲内において上記の説明から当業者が容易に想到し得るすべての変更実施例を包摂するものである。
【産業上の利用可能性】
【００１６】
本考案は上記の如く構成されるから、本考案によるときは、走行ベルトの内部に織り込まれた導電性の金属線が、走行ベルトに生じる静電気を放電させるため、歩行運動機の使用中に走行ベルトが帯電するのを防止でき、これにより、歩行運動機に備えられた電子機器の作動が静電気によって悪影響を受けるのを効果的に防止し得るものであるから、本考案は多大の実用的価値と産業上の利用可能性を有するものである。
【図面の簡単な説明】
【００１７】
【図１】本考案に係る歩行運動機用走行ベルトの一実施例の分離構造図である。
【図２】本考案に係る歩行運動機用走行ベルトの中間層の構造図である。
【図３】図２に示した走行ベルトの中間層の断面説明図である。
【図４】本考案に係る走行ベルトの断面説明図である。
【図５】本考案に係る走行ベルトの中間層内に互いに平行に織り込まれる金属線の相互間の間隔の一例を示す断面説明図である。
【図６】金属線の相互間の間隔のもう一つの例を示す断面説明図である。
【図７】金属線の相互間の間隔の更にもう一つの例を示す断面説明図である。
【図８】本考案に係る走行ベルトのもう一つの実施例の分離構造図である。
【符号の説明】
【００１８】
１      上層
２      中間層
２０    縦糸
２１    横糸
２２，２２ａ〜２２ｃ  金属線
３      下層
５      下層
６      上層
７      内包層
【図１】
0003126194.tif 000003
【図２】
0003126194.tif 000004
【図３】
0003126194.tif 000005
【図４】
0003126194.tif 000006
【図５】
0003126194.tif 000007
【図６】
0003126194.tif 000008
【図７】
0003126194.tif 000009
【図８】
0003126194.tif 000010